(57)【要約】【課題】ドラムユニットの温度上昇をより効率的に防止して、冷却ファンの作動時間を短くする。【解決手段】トナー像を担持する感光体ドラムを有するドラムユニット１２０と、定着ニップ部Ｎ２で記録媒体にトナー像を定着させる定着ユニット１３０と、ドラムユニット１２０と定着ユニット１３０との間に設けられ、定着ユニット１３０からドラムユニット１２０への熱伝導を防止するための冷却ダクト７０と、冷却ダクト７０に空気を流す冷却ファンと、を備え、冷却ダクト７０は可動ダクトであって、定着ユニット１３０の方向に開放されない第１状態と、定着ユニット１３０の方向に開放された第２状態と、に変化可能であり、画像形成処理中、冷却ダクト７０は第１状態に変化し、画像形成処理後、冷却ダクト７０は第２状態に変化する構成とする。【選択図】図２
2018189722.tif 000002
【特許請求の範囲】
【請求項１】
トナー像を担持する像担持体を有するドラムユニットと、
加熱部材と、当該加熱部材とで定着ニップ部を形成する加圧部材とを有し、前記定着ニップ部で記録媒体にトナー像を定着させる定着ユニットと、
前記ドラムユニットと前記定着ユニットとの間に設けられ、前記定着ユニットから前記ドラムユニットへの熱伝導を防止するための冷却ダクトと、
前記冷却ダクトに空気を流す冷却ファンと、を備え、
前記冷却ダクトは可動ダクトであって、前記定着ユニットの方向に開放されない第１状態と、前記定着ユニットの方向に開放された第２状態と、に変化可能であり、
前記ドラムユニットによる画像形成処理中は前記冷却ダクトが前記第１状態に変化し、画像形成処理後は前記冷却ダクトが前記第２状態に変化する画像形成装置。
【請求項２】
前記加熱部材を前記加圧部材に対して押圧離間させる押圧離間機構と、
前記押圧離間機構に、画像形成処理中は前記加熱部材を前記加圧部材に対して押圧させ、画像形成処理後は前記加熱部材を前記加圧部材から離間させる動作を行わせる制御部と、を更に備え、
前記押圧離間機構は、前記制御部による制御で、前記画像形成処理後に前記加熱部材を前記加圧部材から離間させる動作を行うときに前記冷却ダクトを前記第２状態に変化させ、前記画像形成処理中に前記加熱部材を前記加圧部材に対して押圧動作を行うときに前記冷却ダクトを前記第１状態に変化させる請求項１に記載の画像形成装置。
【請求項３】
前記冷却ダクトは、温度変化により変形可能な形状記憶合金を用いて形成され、予め定められた温度以上の場合は前記第１状態に変化し、前記予め定められた温度未満の場合は前記第２状態に変化し、
前記予め定められた温度は、画像形成処理が終了したと認められる温度である請求項１に記載の画像形成装置。
【発明の詳細な説明】
【技術分野】
【０００１】
本発明は、画像形成装置に関し、特に、ドラムユニットの温度上昇を抑える技術に関する。
【背景技術】
【０００２】
一般的な画像形成装置は、像担持体としての感光体ドラムと、感光体ドラムを帯電させる帯電装置と、電荷を帯びた感光体ドラムの表面に、原稿に基づいたレーザー光を照射して、感光体ドラムの表面に原稿の潜像を形成する露光装置と、潜像をトナーで可視像化する現像装置と、可視像化することによって形成されたトナー像を記録紙に転写する転写ローラーと、転写したトナー像を記録紙に定着させる定着装置と、感光体ドラムの表面に残留したトナーを除去するクリーニング装置と、を備える。
【０００３】
近年、画像形成装置のコンパクト化が進み、装置内におけるユニット間の隙間が狭くなり、感光体ドラムを有するドラムユニットが、定着装置を構成する定着ユニットの近くに配置されることがあるが、定着装置における定着熱がドラムユニットに伝わると、ドラムユニットに悪影響を及ぼす場合がある。例えば、クリーニング装置を有するドラムユニットの場合、クリーニング装置の温度上昇によって、トナーが固まって、トナーを適切に回収できなくなるおそれがある。
【０００４】
このような問題を解決する発明として、例えば、下記の特許文献１〜３に、ドラムユニットと定着ユニットとの間に冷却ダクトを設け、冷却ファンからの冷却風を冷却ダクト内に流すことによって、ドラムユニットと定着ユニットとの断熱を図り、定着ユニットからドラムユニットへの熱伝導を防止するといった発明が記載されている。
【先行技術文献】
【特許文献】
【０００５】
【特許文献１】特開２００１−０１３８５５号公報
【特許文献２】特開平１１−１９４５６９号公報
【特許文献３】特開平１０−３０７５２５号公報
【発明の概要】
【発明が解決しようとする課題】
【０００６】
画像形成処理が終了し、定着装置（例えば、加熱ローラー）への加熱が終了しても、定着装置がすぐに冷めるわけではない。そのため、上記した従来技術において、ドラムユニットの温度上昇を防止するには、画像形成処理が終了してもしばらくの間は冷却ファンを作動させておく必要がある。しかしながら、省エネの観点からは、冷却ファンの作動時間は短いことが好ましい。
【０００７】
本発明は、上記の事情に鑑みなされたものであり、ドラムユニットの温度上昇をより効率的に防止することによって、冷却ファンの作動時間を短くすることを目的とする。
【課題を解決するための手段】
【０００８】
本発明の一局面に係る画像形成装置は、トナー像を担持する像担持体を有するドラムユニットと、加熱部材と、当該加熱部材とで定着ニップ部を形成する加圧部材とを有し、前記定着ニップ部で記録媒体にトナー像を定着させる定着ユニットと、前記ドラムユニットと前記定着ユニットとの間に設けられ、前記定着ユニットから前記ドラムユニットへの熱伝導を防止するための冷却ダクトと、前記冷却ダクトに空気を流す冷却ファンと、を備え、前記冷却ダクトは可動ダクトであって、前記定着ユニットの方向に開放されない第１状態と、前記定着ユニットの方向に開放された第２状態と、に変化可能であり、前記ドラムユニットによる画像形成処理中は前記冷却ダクトが前記第１状態に変化し、画像形成処理後は前記冷却ダクトが前記第２状態に変化する。
【発明の効果】
【０００９】
本発明によれば、定着ユニットの温度を下げてはならないとき（画像形成処理中）、冷却ファンからの冷却風は定着ユニットの方向へ流れず、定着ユニットの温度を下げてもよいとき（画像形成処理後）、冷却ファンからの冷却風は定着ユニットの方向へ流れる。すなわち、定着ユニットの温度を下げてもよいときは、定着ユニットが直接冷やされる。従って、定着ユニットの動作に支障を与えることなく、ドラムユニットへ伝わる熱量を少なくすることができるので、ドラムユニットの温度上昇をより効率的に防止することができ、冷却ファンの作動時間を短くすることが可能となる。
【図面の簡単な説明】
【００１０】
【図１】本発明の第１実施形態に係る画像形成装置における画像形成部及びその周辺部を概略的に示した断面図である。
【図２】ドラムユニット及びその周辺部を概略的に示した断面図である。
【図３】（Ａ）は、冷却ダクトが定着ユニットの方向に開放しない第１状態を示す図、（Ｂ）は、冷却ダクトが上方に押し上げられ、冷却ダクトが定着ユニットの方向に開放する第２状態を示す図である。
【図４】ドラムユニット及びその周辺部を概略的に示した平面図である。
【図５】（Ａ）（Ｂ）は、加熱ローラーの加圧ローラーに対する押圧離間機構を概略的に示した側面図である。
【図６】冷却ダクト及びその周辺部を概略的に示した側面図であり、（Ａ）は冷却ダクトが定着ユニットの方向に開放されない第１状態を示し、（Ｂ）は冷却ダクトが定着ユニットの方向に開放された第２状態を示している。
【図７】第１実施形態に係る画像形成装置の主要内部構成を概略的に示した機能ブロック図である。
【図８】（Ａ）は、冷却ダクトが定着ユニットの方向に開放されない第１状態を示し、（Ｂ）は、冷却ダクトが定着ユニットの方向に開放された第２状態を示している。
【発明を実施するための形態】
【００１１】
以下、本発明の一実施形態に係る画像形成装置について図面を参照して説明する。図１は、本発明の第１実施形態に係る画像形成装置における画像形成部及びその周辺部を概略的に示した断面図である。画像形成装置１は、例えば、コピー機能、プリンター機能、スキャナー機能、及びファクシミリ機能のような複数の機能を兼ね備えた複合機である。
【００１２】
画像形成部１２は、記録媒体である記録紙にトナー像を形成するものであり、感光体ドラム１２１と、帯電装置１２２と、露光装置１２３と、現像装置１２４と、転写ローラー１２６と、クリーニング装置６０と、トナーコンテナ１７１とを備える。感光体ドラム１２１、帯電装置１２２、及びクリーニング装置６０はユニット化され、ドラムユニット１２０を形成している。
【００１３】
感光体ドラム１２１は、像担持体であり、回転軸を中心にして回転可能に構成され、表面にトナー像を担持する。帯電装置１２２は、感光体ドラム１２１の表面を帯電させる。露光装置１２３は、外部装置（例えば、パーソナルコンピューター）から伝送されてきた画像データに基づいて、レーザー光Ｌを照射することによって、感光体ドラム１２１の表面に潜像を形成する。
【００１４】
現像装置１２４は、現像ローラー１２４１を有し、感光体ドラム１２１の表面に形成された潜像をトナーで可視化する。転写ローラー１２６は、感光体ドラム１２１との間で転写ニップ部Ｎ１が形成され、トナー像を記録紙に転写する。
【００１５】
クリーニング装置６０は、クリーニングローラー６１とクリーニングブレード６２とを備える。クリーニングローラー６１及びクリーニングブレード６２は、感光体ドラム１２１の表面に接触して、感光体ドラム１２１の表面に残留したトナーや付着物を除去して、感光体ドラム１２１の表面を清掃する。
【００１６】
定着装置１３は、熱圧着によりトナー像を記録紙に定着させるものであり、熱源であるヒートランプ１３２を内蔵する加熱ローラー１３１と、加圧ローラー１３３とを備える。加熱ローラー１３１と加圧ローラー１３３とは対を成し、記録紙が加熱ローラー１３１及び加圧ローラー１３３による定着ニップ部Ｎ２を挟持搬送される際に、未定着のトナー像がヒートランプ１３２の熱で溶融し、加熱ローラー１３１及び加圧ローラー１３３の圧力で記録紙に定着される。なお、加熱ローラー１３１及び加圧ローラー１３３はそれぞれ、特許請求の範囲における加熱部材、加圧部材の一例である。
【００１７】
図２は、ドラムユニット１２０及びその周辺部を概略的に示した断面図である。ドラムユニット１２０は、感光体ドラム１２１、帯電装置１２２、及びクリーニング装置６０がドラムハウジング１２０Ａによって一体に保持されている。
【００１８】
クリーニング装置６０のクリーニングハウジング６０Ａは、ドラムハウジング１２０Ａの一部を構成する。クリーニングハウジング６０Ａの内部は仕切り壁６３が設けられ、クリーニングローラー６１及びクリーニングブレード６２によって感光体ドラム１２１の表面から除去されたトナーを収容する廃トナー収容部６４が形成されている。
【００１９】
定着ユニット１３０は、加熱ローラー１３１及び加圧ローラー１３３が定着ハウジング１３０Ａによって一体に保持されている。なお、定着ユニット１３０は、加熱ローラー１３１を加圧ローラー１３３に対して押圧離間させる押圧離間機構１４０（図２では図略。図４及び図５を参照）を備えるが、当該押圧離間機構１４０については、後で詳しく説明する。
【００２０】
ドラムユニット１２０と定着ユニット１３０との間には、定着ユニット１３０からドラムユニット１２０への熱伝導を防止するための冷却ダクト７０が設けられている。冷却ダクト７０は可動ダクトであって、定着ユニット１３０の方向に開放されない第１状態と、定着ユニット１３０の方向に開放された第２状態とに変化する。なお、クリーニングハウジング６０Ａの外壁部が冷却ダクト７０の一部を兼ねている。
【００２１】
冷却ダクト７０の動作を説明する。図３（Ａ）は、冷却ダクト７０が定着ユニット１３０の方向に開放しない第１状態を示し、図３（Ｂ）は、冷却ダクト７０が上方に押し上げられ、冷却ダクト７０が定着ユニット１３０の方向に開放する第２状態を示している。なお、冷却ダクト７０の移動機構については、後で説明する。
【００２２】
図４は、ドラムユニット１２０及びその周辺部を概略的に示した平面図である。図５は、押圧離間機構１４０を概略的に示した側面図であり、（Ａ）は加熱ローラー１３１が加圧ローラー１３３に押圧した状態を示し、（Ｂ）は加熱ローラー１３１が加圧ローラー１３３から離間した状態を示している。
【００２３】
図４において冷却ダクト７０の長手方向の延長線上となる位置に、冷却ダクト７０の側端部に対向させて冷却ファン８０が配置されている。冷却ファン８０が作動することで、冷却ダクト７０内を長手方向に冷却風が流れる。この冷却風の流れによりドラムユニット１２０と定着ユニット１３０との熱の行き来を遮断する。これにより、定着ユニット１３０からドラムユニット１２０への熱伝導を防止する。
【００２４】
加熱ローラー１３１を加圧ローラー１３３に対して押圧離間させる押圧離間機構１４０は、一対の揺動ホルダー１４１と、一対の牽引シャフト１４２と、一対のスプリング１４３と、一対の端部１４４とを備える。揺動ホルダー１４１は、加熱ローラー１３１を支持している。揺動ホルダー１４１は、牽引シャフト１４２に支持されている。揺動ホルダー１４１には、牽引シャフト１４２と同径又は若干大きな径からな孔部が、揺動ホルダー１４１を厚み方向に貫通させて形成されている。この孔部には牽引シャフト１４２が移動自在に挿通されている。
【００２５】
牽引シャフト１４２は、上方に突出するように延びた円筒形状をしたシャフトである。スプリング１４３は、牽引シャフト１４２の周を覆うコイル状の押しバネであり、牽引シャフト１４２は、螺旋状に形成されているスプリング１４３の内部を挿通している。スプリング１４３は、内部に牽引シャフト１４２が挿通された状態で、牽引シャフト１４２の鍔部１４２１と揺動ホルダー１４１との間に取り付けられている。すなわち、スプリング１４３は、一端部が鍔部１４２１により係止され、他端部が揺動ホルダー１４１により係止されている。スプリング１４３による揺動ホルダー１４１に対する押圧力によって、加熱ローラー１３１の加圧ローラー１３３に対する押圧が調整される。鍔部１４２１は、牽引シャフト１４２の周面部から径方向に突出した形状とされている。
【００２６】
牽引シャフト１４２は、図示しないモーターに偏心カム（後述）等を介して連結されて当該モーターの駆動によって、又はソレノイドによって、加圧ローラー１３３に向けて（図５（Ａ）における下方に）引っ張られ、加圧ローラー１３３に向けて（図５（Ａ）における下方に）押し下げられる。牽引シャフト１４２が下方に引っ張られると、鍔部１４２１がスプリング１４３を押圧し、スプリング１４３は鍔部１４２１と揺動ホルダー１４１との間で圧縮される。これにより、図５（Ａ）に示すように、加熱ローラー１３１が加圧ローラー１３３を押圧する。一方、牽引シャフト１４２が上方に押し上げられると、スプリング１４３の上記圧縮が解除され、スプリング１４３による弾性力が復元する。これにより、図５（Ｂ）に示すように、加熱ローラー１３１による加圧ローラー１３３への押圧が解除され、加熱ローラー１３１は加圧ローラー１３３から離間する。
【００２７】
図６は、冷却ダクト７０及びその周辺部を概略的に示した側面図であり、（Ａ）は冷却ダクト７０が定着ユニット１３０の方向に開放しない第１状態を示し、（Ｂ）は冷却ダクト７０が定着ユニット１３０の方向に開放する第２状態を示している。冷却ダクト７０の内壁には、押圧離間機構１４０を構成する牽引シャフト１４２の端部１４４に対向する位置に、ドラムユニット１２０の方向に延びる一対の延板７１が設けられている。
【００２８】
図６（Ａ）に示すように、牽引シャフト１４２が下方に引っ張られ、端部１４４がスプリング１４３を押圧している場合には、端部１４４は延板７１に接触せず、冷却ダクト７０は、定着ユニット１３０の方向に開放されない第１状態となるように設定されている。
【００２９】
一方、図６（Ｂ）に示すように、牽引シャフト１４２が上方に押し上げられ、端部１４４のスプリング１４３への押圧が解除されている場合、端部１４４は延板７１に接触し、牽引シャフト１４２がスプリング１４３の押圧力により冷却ダクト７０を上方に押し上げ、冷却ダクト７０は、定着ユニット１３０の方向に開放された第２状態となるように設定されている。すなわち、押圧離間機構１４０の動作に連動して、冷却ダクト７０は第１状態又は第２状態に変化する。
【００３０】
図７は、第１実施形態に係る画像形成装置１の主要内部構成を概略的に示した機能ブロック図である。画像形成装置１は、制御ユニット１０、原稿給送部６、原稿読取部５、画像形成部１２、定着装置１３、給紙部１４、操作部４７、冷却ファン８０、動力伝達部５１、及び押圧離間機構１４０を含んで構成されている。
【００３１】
画像形成装置１で原稿読取動作が行われる場合について説明する。原稿給送部６により搬送されてきた原稿、又はプラテンガラスに載置された原稿の画像を、原稿読取部５が光学的に読み取り、そして画像データを生成する。原稿読取部５により生成された画像データは、画像メモリー等に保存される。
【００３２】
画像形成装置１で画像形成動作が行われる場合について説明する。原稿読取動作により生成された画像データや、ネットワーク接続された外部装置としてのコンピューターから受信した画像データ等に基づいて、画像形成部１２が、給紙部１４から給紙される記録媒体としての記録紙に画像を形成する。
【００３３】
定着装置１３は、上述したように、熱圧着によりトナー像を記録紙に定着させるものであり、定着処理が施された記録紙は排出トレイに排出される。給紙部１４は、給紙カセットを備える。
【００３４】
操作部４７は、画像形成装置１が実行可能な各種動作及び処理について操作者から画像形成動作実行指示等の指示を受け付ける。操作部４７は、操作者への操作案内等を表示する表示部４７３を備えている。
【００３５】
動力伝達部５１は、モーター、ギア、偏心カム、ドライバー等から構成され、例えば、押圧離間機構１４０に回転駆動力を変換して直線的な駆動力を付与する駆動源としての機能を果たす。なお、本実施形態では動力伝達部５１を当該構成とするが、動力伝達部５１は、押圧離間機構１４０に直線的な駆動力を付与する駆動源としてのソレノイドであってもよい。また、動力伝達部５１は、制御ユニット１０の後述する制御部１００からの指示に従って、モーターの駆動を制御する。モーターは、例えば、上記ギアを介して上記偏心カムを回転させる駆動源である。当該偏心カムの周面は、牽引シャフト１４２の端部１４４とは反対側の他端部に接触させて設けられている。当該偏心カムの回転により、牽引シャフト１４２の当該他端部が押圧され又は当該押圧が解除される。これにより、牽引シャフト１４２は、加圧ローラー１３３に向けて（図５（Ａ）における下方に）移動し、加熱ローラー１３１に向けて（図５（Ａ）における上方に）移動する。
【００３６】
制御ユニット１０は、プロセッサー、ＲＡＭ（Random Access Memory）、ＲＯＭ（Read Only Memory）、及び専用のハードウェア回路を含んで構成される。プロセッサーは、例えばＣＰＵ（Central Processing Unit）、ＡＳＩＣ（Application Specific Integrated Circuit）、ＭＰＵ（Micro Processing Unit）等である。制御ユニット１０は、制御部１００を備えている。
【００３７】
制御ユニット１０は、ＨＤＤ（図略）に記憶されている制御プログラムに従った上記プロセッサーによる動作により、制御部１００として機能するものである。但し、制御部１００は、制御ユニット１０による制御プログラムに従った動作によらず、ハードウェア回路により構成することも可能である。以下、特に触れない限り、各実施形態について同様である。
【００３８】
制御部１００は、画像形成装置１の全体的な動作制御を司る。制御部１００は、原稿給送部６、原稿読取部５、画像形成部１２、定着装置１３、給紙部１４、操作部４７、冷却ファン８０、及び動力伝達部５１と接続され、これら各部の駆動制御等を行う。
【００３９】
制御部１００は、押圧離間機構１４０に、画像形成処理中は加熱ローラー１３１を加圧ローラー１３３に対して押圧させ、画像形成処理後は加熱ローラー１３１を加圧ローラー１３３から離間させる動作を行わせる。
【００４０】
制御部１００は、例えば、操作部４７を介して、ユーザーからの印刷指示を受け付け、画像形成処理を開始すると、押圧離間機構１４０の動作を制御し、動力伝達部５１を介して、加熱ローラー１３１を加圧ローラー１３３に対して押圧させると共に、冷却ファン８０を作動させる。
【００４１】
また、制御部１００は、画像形成処理が終了すると、動力伝達部５１を介して、押圧離間機構１４０の動作を制御して、加熱ローラー１３１を加圧ローラー１３３から離間させ、その後、予め定められた冷却ファン停止条件が成立したと判断したタイミングで、冷却ファン８０の作動を停止させる。
【００４２】
当該冷却ファン停止条件としては、例えば、加熱ローラー１３１の温度が予め定められた温度まで低下したこと等である。なお、加熱ローラー１３１の温度情報については、加熱ローラー１３１の近くに配置する図略の温度センサーから取得する。
【００４３】
上記第１実施形態によれば、定着ユニット１３０の温度を下げてはならないとき（画像形成処理中）、冷却ファン８０からの冷却風は定着ユニット１３０の方向へ流れず、定着ユニット１３０の温度を下げてもよいとき（画像形成処理後）、冷却ファン８０からの冷却風は定着ユニット１３０の方向へ流れる。すなわち、定着ユニット１３０の温度を下げてもよいときは、定着ユニット１３０が直接冷やされる。
【００４４】
従って、定着ユニット１３０の動作に支障を与えることなく、ドラムユニット１２０へ伝わる熱量を少なくすることができるので、ドラムユニット１２０の温度上昇をより効率的に防止することができ、冷却ファン８０の作動時間を短くすることが可能となる。
【００４５】
なお、上記実施形態では、押圧離間機構１４０の動作に連動して、冷却ダクト７０を第１状態又は第２状態に変化させる場合について説明しているが、連動の元となる動作は押圧離間機構１４０の動作に限定されない。
【００４６】
押圧離間機構１４０は、定着ニップ部Ｎ２における定着ニップ圧を調整する調整機構の一例であるが、その他の調整機構の動作と連動させて、冷却ダクト７０を第１状態又は第２状態に変化させるようにしてもよい。当該その他の調整機構としては、例えば、加圧ローラー１３３を加熱ローラー１３１に対して押圧離間させる押圧離間機構や、加熱ローラー１３１の加圧ローラー１３３に対する押圧力を調整する調整機構が挙げられる。
【００４７】
また、別の実施形態としては、冷却ダクト７０の上記開放及び非開放の動作を、押圧離間機構１４０等の動作に連動させるのではなく、冷却ダクト７０に上記開放及び非開放の動作をさせるため専用の機構（例えば、ソレノイド等から成る機構）を新たに設け、制御部１００が、当該専用の機構の動作を制御するようにしてもよい。
【００４８】
また、更なる別の実施形態としては、冷却ダクト７０を、温度変化により変形可能な形状記憶合金を用いて形成し、予め定められた温度以上の場合、図８（Ａ）に示すように、冷却ダクト７０の下端部７０Ａが閉じて、定着ユニット１３０の方向に開放しない第１状態に変化し、一方、当該予め定められた温度未満の場合、図８（Ｂ）に示すように、冷却ダクト７０の下端部７０Ａが開き、定着ユニット１３０の方向に開放する第２状態に変化するようにしてもよい。なお、当該予め定められた温度は、画像形成処理が終了したと認められる温度であり、例えば、定着温度よりも一定温度だけ低い値に設定される（例えば、定着温度が１８０℃の場合は当該一定温度を８０℃とし、予め定められた温度を１００℃とする）。
【００４９】
例えば、当該予め定められた温度が１００℃に設定されている場合、加熱ローラー１３１が加熱されて、画像形成処理が開始され、冷却ダクト７０付近の温度が上昇して１００℃以上になると、冷却ダクト７０の下端部７０Ａは閉じ、冷却ダクト７０は定着ユニット１３０の方向に開放されない第１状態に変化することになる。一方、画像形成処理が終了し、加熱ローラー１３１への加熱が停止し、冷却ダクト７０付近の温度が下がって１００℃未満になると、冷却ダクト７０の下端部７０Ａは開き、冷却ダクト７０は定着ユニット１３０の方向に開放された第２状態に変化する。
【００５０】
また、本発明は上記実施の形態の構成に限られず種々の変形が可能である。また、上記実施形態では、本発明に係る画像形成装置の一実施形態として複合機を用いて説明しているが、これは一例に過ぎず、例えば、コピー機、プリンター、ファクシミリ等の他の画像形成装置でもよい。
【００５１】
また、上記実施形態では、図１乃至図８を用いて上記実施形態により示した構成及び処理は、本発明の一実施形態に過ぎず、本発明を当該構成及び処理に限定する趣旨ではない。
【符号の説明】
【００５２】
１        画像形成装置
１２      画像形成部
６０      クリーニング装置
６０Ａ    クリーニングハウジング
７０      冷却ダクト
８０      冷却ファン
１００    制御部
１２０    ドラムユニット
１２０Ａ  ドラムハウジング
１２１    感光体ドラム
１３０    定着ユニット
１３１    加熱ローラー
１３３    加圧ローラー
１４０    押圧離間機構
【図１】
2018189722.tif 000003
【図２】
2018189722.tif 000004
【図３】
2018189722.tif 000005
【図４】
2018189722.tif 000006
【図５】
2018189722.tif 000007
【図６】
2018189722.tif 000008
【図７】
2018189722.tif 000009
【図８】
2018189722.tif 000010